(57)【特許請求の範囲】
【請求項１】
出入口の一側部に扉収納部を設け、
該扉収納部から他側部側に出退自在で出入口を閉鎖可能な複数の防水扉を設け、
最先行の防水扉を出退駆動する直線駆動機構と、先行側の防水扉と後続側の防水扉との間で先行側の防水扉に後続側の防水扉を連動させる連動係合部材と、これら防水扉を案内する扉ガイド手段とを有する扉開閉装置を設け、
前記防水扉同士および防水扉と出入口の隙間を止水するシール部材を設け、
前記連動係合部材は、先行側の防水扉の基端部と後続側の防水扉の先端部に互いに係合可能に取り付けられて閉動方向のスライド時に先行側の防水扉に後続側の防水扉を連動する連動フックと、先行側の防水扉の先端側に後続側の防水扉の先端面に当接可能に突設されて開動方向のスライド時に先行側の防水扉に後続側の防水扉を連動する連動ストッパとを具備し、
前記連動フックの内面に、閉動方向のスライド時に当該連動フックが互いに密に噛み合わされることにより、前記防水扉同士の隙間を止水するシール部材を圧接してシールするテーパ面を形成した
ことを特徴とするスライド式防水扉装置。
【請求項２】
直線駆動機構を水道水圧により出退駆動される水道圧シリンダにより構成し、
前記水道給水口と水道圧シリンダとを接続する給水配管に、蓄圧式水圧容器の水圧を供給可能な駆動水圧源切り換え装置を設けた
ことを特徴とする請求項１記載のスライド式防水扉装置。
【発明の詳細な説明】
【０００１】
【発明の属する技術分野】
本発明は、建物や構造物の入口、地下駐車場やエレベータ装置の入口に設置され、高潮や洪水などでオーバーフローした水による浸水を防止する防水扉装置に関する。
【０００２】
【従来の技術】
たとえば集中豪雨などで河川が氾濫し道路などに冠水した水は、構造物の入口などを通って構造物内、特に地下施設に流入し、浸水する。
【０００３】
このため、緊急の浸水の防止策として、流入しやすい低位部分や出入口に土嚢を積む作業が人手により行われていた。
【０００４】
【発明が解決しようとする課題】
このように土嚢を使用する場合には、その準備作業や設置作業が重労働となり、時間的な余裕も必要となる。
【０００５】
また出入口などでは、防水用の扉を設置することも考えられるが、扉の容積や重量も大きく、通常時に扉を保管する保管場所も大きく必要な場合が多く、また扉の開閉や移動に大きい動力が必要になる。
【０００６】
本発明は上記問題点を解決して、保管場所も小さくてすみ、迅速に防水扉の開閉が可能なスライド式防水扉装置を提供することを目的とする。
【０００７】
【課題を解決するための手段】
上記目的を達成するために請求項１記載の発明は、出入口の一側部に扉収納部を設け、該扉収納部から他側部側に出退自在で出入口を閉鎖可能な複数の防水扉を設け、最先行の防水扉を出退駆動する直線駆動機構と、最先行の防水扉または先行側の防水扉と後続側の防水扉との間で先行側の防水扉に後続側の防水扉を連動させる連動係合部材と、これら防水扉を案内する扉ガイド手段とを有する扉開閉装置を設け、前記防水扉同士および防水扉と出入口の隙間を止水するシール部材を設け、前記連動係合部材は、先行側の防水扉の基端部と後続側の防水扉の先端部に互いに係合可能に取り付けられて閉動方向のスライド時に先行側の防水扉に後続側の防水扉を連動する連動フックと、先行側の防水扉の先端側に後続側の防水扉の先端面に当接可能に突設されて開動方向のスライド時に先行側の防水扉に後続側の防水扉を連動する連動ストッパとを具備し、前記連動フックの内面に、閉動方向のスライド時に当該連動フックが互いに密に噛み合わされることにより、前記防水扉同士の隙間を止水するシール部材を圧接してシールするテーパ面を形成したものである。
【０００８】
上記構成によれば、複数の防水扉を連動して出退駆動し出入口を閉鎖するので、防水扉を小さく分割することができ、扉収納部を小さくすることができる。また直線駆動機構により最先行の防水扉を出退駆動することで、先行側の防水扉の基端部と後続側の防水扉の先端部にそれぞれ取り付けられた連動フックと、先行側の防水扉の先端側に突設された連動ストッパとにより、連動係合部材により後続側の防水扉を連動させて出退させることができ、出入口を迅速に開閉することができる。しかも閉動方向のスライド時に連動フックが密に噛み合わされることで、そのテーパ面により、前記防水扉同士が互いに接近されて防水扉間のシール部材を圧接し、先行側と後続側の防水扉のシール作用を向上させることができる。
【０００９】
また請求項２記載の発明は、直線駆動機構を水道水圧により出退駆動される水道圧シリンダにより構成し、前記水道給水口と水道圧シリンダとを接続する給水配管に、蓄圧式水圧容器の水圧を供給可能な駆動水圧源切り換え装置を設けたものである。
【００１０】
上記構成によれば、水道圧シリンダにより最先行防水扉を出退駆動するように構成したので、停電が生じやすい商業電源を使用せず、水道が断水する非常時であっても、防水扉により出入口をスムーズに開閉駆動することできる。したがって、エア圧や油圧、電力などを発生する特別なユニットを付設する必要がなく、低コストで提供することができる。
【００１１】
【発明の実施の形態】
ここで、本発明に係るスライド式防水扉装置の実施の形態を図１〜図５に基づいて説明する。
【００１２】
図１に示すように、出入口１の前部には、左右一対の門柱２Ｌ，２Ｒが立設され、門柱２Ｌ，２Ｒ間に観音開き状に開閉自在な門扉３，３が設けられている。そして門柱２Ｌ，２Ｒの両側に設置された左右の壁部材（たとえばブロック壁）４Ｌ，４Ｒのうち、左壁部材４Ｌが右壁部材４Ｒより前面寄りに設置されており、その背面に防水扉装置の扉収納部７が設けられている。そしてこの扉収納部７には、右側に出退自在な複数（図では２枚）の防水扉５，６が配置され、扉開閉装置８により先行防水扉（最先行の防水扉、先行側の防水扉）５と後続防水扉（後続側の防水扉）６を連動して出入口幅方向にスライドさせ、先行防水扉５を右壁部材４Ｒの端部の扉受け部４ａに当接させて出入口１を閉鎖可能に構成されている。
【００１３】
前記扉開閉装置８は、水道水圧により先行防水扉５を出退駆動する開閉用水道圧シリンダ（直線駆動装置）９と、先行防水扉５と後続防水扉６の間で先行防水扉５に後続防水扉６を連動させる連動係合部材と、防水扉５，６を案内する扉ガイド手段とを具備している。また閉鎖状態で防水扉５，６の隙間をシールするシール部材が取り付けられている。
【００１４】
また図５に示すように、水道が断水した場合に、蓄圧タンク（蓄圧式水圧容器）１２から駆動水圧を供給して開閉用水道圧シリンダ９を駆動する駆動水圧源切り換え装置１１が設けられている。
【００１５】
以下詳細を説明する。
図２，図３に示すように、防水扉５，６は正面視が矩形状で、先行防水扉５の左右方向の長さが後続防水扉６より長く（図では約１／２程度）形成されている。前記連動係合部材には、先行防水扉５の基端部と後続防水扉６の先端部に取り付けられて閉動方向のスライド時に係合可能な連動フック２１Ａ，２１Ｂと、先行防水扉５の先端側正面に突設されて後続防水扉６の先端面に当接可能な単数または複数（図は２個）の連動ストッパ２２とが具備されている。
【００１６】
したがって、扉収納部７から先行防水扉５が閉動方向にスライドされてその基端部が後続防水扉６の先端部に接近すると、連動フック２１Ａ，２１Ｂが係合されて先行防水扉５が後続防水扉６を牽引し、後続防水扉６を連動してスライドして閉鎖位置まで移動される。また閉鎖位置から先行防水扉５が開動方向にスライドされると、途中で連動ストッパ２２が後続防水扉６の先端部に当接して後続防水扉６を連動して押し込み、扉収納部７までスライドさせることができる。
【００１７】
なお、前記連動フック２１Ａ，２１Ｂは、互いに密に噛み合されることにより、フック内面のテーパ面の作用で先行防水扉５の基端部と後続防水扉６の先端部を互いに接近させて、後述する扉間シール材を圧接してシール作用が向上される。また後続防水扉６の先端面には、複数の連動ストッパ２２に対応して（図では上下２本）のガイドピン２０が突設され、各連動ストッパ２２にはガイドピン２０に対応して嵌合穴２２ａがそれぞれ形成されており、これらガイドピン２０を嵌合穴２２ａに嵌合することで、先行防水扉５と後続防水扉６とを強固に連結することができる。
【００１８】
また図４に示すように、扉ガイド手段は、防水扉５，６の底辺部に出退方向に所定間隔をあけて取り付けられて路面１ａを走行自在な複数の走行ローラ２３Ａ，２３Ｂからなる底辺ガイド部と、防水扉５，６の上辺部に出退方向に所定間隔をあけて取り付けられた出退ガイドローラ２４Ａ，２４Ｂおよび扉収納部７で前記出退ガイドローラ２４Ａ，２４Ｂを案内する出退レール２５Ａ，２５Ｂからなる上辺ガイド部と、先行防水扉５の背面で上下方向の中間位置に後端部から後方に突出されたガイドロッド２６およびこのガイドロッド２６を案内するガイド筒２７Ａおよびガイド環２７Ｂからなる背面ガイド部とで構成されている。
【００１９】
扉収納部７の背面側に立設された左右一対の支持材２８上には、水平ビーム２９を介して開閉用水道圧シリンダ９のシリンダ本体９ａが水平姿勢で設置されており、出入口１側に出退駆動されるピストンロッド９ｂの先端部が先行防水扉５の前端部に連結されている。また背面ガイド部のガイド筒２７Ａとガイド環２７Ｂは、支持材２８と水平ビーム２９に支持されている。
【００２０】
前記シール部材は、図３，図４に示すように、先行防水扉５の先端面に高さ方向に沿って取り付けられて右壁部材４Ｒの扉受け部４ａとの間で圧縮される先行部シール材３１と、先行防水扉５および後続防水扉６の底辺部背面側に取り付けられて路面１ａに摺接する底面部シール材３２Ａ，３２Ｂと、先行防水扉５の後端部に取り付けられて後続防水扉６の背面に摺接する扉間シール材３３と、後続防水扉６の後端部に取り付けられて左壁部材４Ｌの背面に摺接する後続部シール材３４とで構成され、閉鎖位置で先行防水扉５および後続防水扉６の左右側辺と底辺部と扉間の隙間がそれぞれシールされて出入口１からの浸水が防止される。
【００２１】
また、右壁部材４Ｒの扉受け部４ａは、内面と背面が開放された角柱形に切り欠かれており、背面側に先行防水扉５の先端部の挿入を案内するとともに先行防水扉５の先端部を前面側に付勢する複数のガイドプレート３５が取り付けられており、ガイドプレート３５により先行防水扉５の先端部の前面に取り付けられた支圧板５ａが扉受け部４ａの背面に押し付けられて位置決めされる。
【００２２】
図５は、開閉用水道圧シリンダ９に水道水圧を供給する配管装置を示し、水道水供給口４０から開閉用水道圧シリンダ９に接続されて給水管と排水管からなる給水配管４１に電磁式切換弁４２が介在され、給水配管４１から分岐されて開閉用水道圧シリンダ９に接続された分岐配管４１ａに手動式切換弁４３が介在されている。したがって、警報発生による自動制御や遠隔操作により電磁式切換弁４２が操作されるか、または増水状態に応じて現場の監視員により手動式切換弁４３が操作されて、防水扉５，６が開閉駆動される。また前記駆動水圧源切り換え装置１３は、分岐配管４１ａの上流側の給水配管４１に介在された手動式二方切換弁４４と、給水配管４１に二方切換弁４４を介して接続された蓄圧配管４５に、セルフシールカップリング４６を介して接続されて水圧カートリッジなどの蓄圧タンク１２とにより構成されている。前記蓄圧タンク１２は、開閉用水圧シリンダ９を一往復することができる水圧容量を溜めることができるものが使用される。
上記構成において、集中豪雨などの警報が入り、状況に応じて監視員が手動式切換弁４３を操作するか、または遠隔操作で電磁式切換弁４２を操作することにより、給水配管４１から水道圧シリンダ９の進展室に水道水が供給される。これにより、水道圧シリンダ９が進展されて先行防水扉５が扉収納部７から閉動方向にスライドされ、その基端部が後続防水扉６の先端部に接近すると、連動フック２１Ａ，２１Ｂが係合されて後続防水扉６が牽引され、さらに先行防水扉５に後続防水扉６が連動してスライドされて、先行防水扉５の先端部が右壁部材４Ｒの扉受け部４ａに達することで、先行防水扉５と後続防水扉６とにより出入口１が閉鎖される。
【００２３】
この時、先行部シール材３１により先行防水扉５の先端面と扉受け部４ａの隙間がシールされ、また底面部シール材３２Ａ，３２Ｂにより先行防水扉５および後続防水扉６と路面１ａとの隙間がシールされ、さらに扉間シール材３３により先行防水扉５と後続防水扉６との隙間がシールされ、さらにまた後続部シール材３４により、後続防水扉６と左壁部材４Ｌとの隙間がシールされ、これにより出入口１が閉鎖されて浸水が防止される。
【００２４】
警報が解除され、監視員が手動式切換弁４３を操作するか、遠隔操作で電磁式切換弁４２を操作することにより、給水配管４１から水道圧シリンダ９の収縮室に水道水が供給される。これにより、水道圧シリンダ９が収縮されて先行防水扉５が閉鎖位置から後退され、途中で連動ストッパ２２が後続防水扉６の先端部に当接して後続防水扉６が連動して後退され、先行防水扉５と後続防水扉６とが扉収納部７までスライドされる。
【００２５】
この防水扉開閉時に、水道管が断水となった場合には、駆動水圧源切り換え装置１３の手動式二方切換弁４４が操作されて、蓄圧タンク１２に貯留された水道水圧が蓄圧配管４５から給水配管４１を介して開閉用水道圧シリンダ９に供給され防水扉５，６が開閉駆動される。
【００２６】
上記実施の形態によれば、先行防水扉５と後続防水扉６を出退駆動して出入口１を閉鎖するので、両防水扉５，６を小さくすることができ、扉収納部７をコンパクト化することができる。また開閉用水道圧シリンダ９により先行防水扉５を出退駆動することで、連動係合部材である連動フック２１Ａ，２１Ｂおよび連動ストッパ２２により、後続防水扉６を連動させて出退させることができ、迅速に出入口１を開閉することができる。
【００２７】
また開閉用水道圧シリンダ９より先行防水扉５を出退駆動するように構成したので、停電が生じやすい商業電源を使用せず、また水道が断水となった非常時にも、防水扉を確実に開閉駆動することできる。またエア圧や油圧、電力などを発生する特別なユニットを付設する必要がないので、低コストで提供することができる。
【００２８】
さらに、この防水扉装置は、出入口１やその周辺部の地盤を掘り込むことなく設置することができるので、建物や門扉部分の改修工事も不要となり、設置工事も容易かつ短時間で行うことができる。
【００２９】
なお、上記実施の形態では、先行防水扉５と後続防水扉６とに二分割したが、三分割以上に分割して連動フックおよび連動ストッパなどの連動係合部材により互いに連動するように構成してもよい。
【００３０】
【発明の効果】
以上に述べたごとく請求項１記載の発明によれば、複数の防水扉を連動して出退駆動し出入口を閉鎖するので、防水扉を小さく分割することができ、扉収納部を小さくすることができる。また直線駆動機構により最先行の防水扉を出退駆動することで、先行側の防水扉の基端部と後続側の防水扉の先端部にそれぞれ取り付けられた連動フックと、先行側の防水扉の先端側に突設された連動ストッパとにより、連動係合部材により後続側の防水扉を連動させて出退させることができ、出入口を迅速に開閉することができる。しかも閉動方向のスライド時に連動フックが密に噛み合わされることで、そのテーパ面により、前記防水扉同士が互いに接近されて防水扉間のシール部材を圧接し、先行側と後続側の防水扉のシール作用を向上させることができる。
【００３１】
また請求項２記載の発明によれば、水道圧シリンダにより最先行防水扉を出退駆動するように構成したので、停電が生じやすい商業電源を使用せず、水道が断水する非常時であっても、防水扉により出入口をスムーズに開閉駆動することできる。したがって、エア圧や油圧、電力などを発生する特別なユニットを付設する必要がなく、低コストで提供することができる。
【図面の簡単な説明】
【図１】本発明に係るスライド式防水扉装置の実施の形態を示し、（ａ）は開放状態の平面図、（ｂ）は閉鎖状態の平面図である。
【図２】図１（ｂ）に示すＡ−Ａ矢視図である。
【図３】同スライド式防水扉装置の防水扉を示す拡大平面断面図である。
【図４】図３に示すＢ−Ｂ断面図である。
【図５】同スライド式防水扉装置の水道圧シリンダへの給水回路を示す構成図である。
【符号の説明】
１    出入口
１ａ  路面
４Ｌ  左壁部材
４Ｒ  右壁部材
４ａ  扉受け部
５    先行防水扉
６    後続防水扉
７    扉収納部
８    扉開閉装置
９    水道圧シリンダ
１１    駆動水圧源切り換え装置
１２    蓄圧タンク
２１Ａ，２１Ｂ  連動フック
２２    連動ストッパ
２３Ａ，２３Ｂ  走行ローラ
２４Ａ，２４Ｂ  出退ガイドローラ
２５Ａ，２５Ｂ  出退レール
２６    ガイドロッド
２７Ａ  ガイド筒
２７Ｂ  ガイド環
３１    先行部シール材
３２Ａ，３２Ｂ  底面部シール材
３３    扉間シール材
３４    後続部シール材
４１    給水配管
４２    電磁式切換弁
４３    手動式切換弁
４４    二方切換弁
４５    蓄圧配管
【図１】
0003955236.tif 000002
【図２】
0003955236.tif 000003
【図３】
0003955236.tif 000004
【図４】
0003955236.tif 000005
【図５】
0003955236.tif 000006